(57)【要約】【課題】  コイン形又はボタン形電池の検査が可能で、使い勝手が良く、誤使用を防止して電池に適切な負荷をかけることができる電池検査器を提供すること。【解決手段】  電池検査器１０は、コイン形電池検査部３と、ボタン形電池検査部４と、それらの境界に沿って設けられる境界壁１とを備え、コイン形電池検査部３は、コイン形電池載置面３１と、コイン形電池載置面３１に設けられた第１負極接点３２と、第１負極接点３２上に載置されたコイン形電池Ａの側面が当接するように立設された第１正極接点３３とからなり、ボタン形電池検査部４は、ボタン形電池載置面４１と、ボタン形電池載置面４１に設けられた第２負極接点４２と、第２負極接点４２上に載置されたボタン形電池Ｂの側面が当接するように立設された第２正極接点４３と、ボタン形電池検査部４でのコイン形電池１の検査を防止するガード部材５とからなる。【選択図】  図２
0003102561.tif 000002
【実用新案登録請求の範囲】
【請求項１】
筐体と、前記筐体に内蔵される電気回路と、前記電気回路に接続して外面に露出する金属板状の電極接点と、前記電極接点に電池の電極端子を当接した際に前記電池の容量の状態を表示する表示部と、を備える電池検査器において、
前記電池検査器は、コイン形電池の検査を行うコイン形電池検査部と、ボタン形電池の検査を行うボタン形電池検査部と、それらの境界に沿って設けられる境界壁とを備え、
前記コイン形電池検査部は、コイン形電池載置面と、前記コイン形電池載置面に設けられた第１負極接点と、前記第１負極接点上に載置されたコイン形電池の側面が当接するように立設された第１正極接点とからなり、
前記ボタン形電池検査部は、ボタン形電池載置面と、前記ボタン形電池載置面に設けられた第２負極接点と、前記第２負極接点上に載置されたボタン形電池の側面が当接するように立設された第２正極接点と、前記ボタン形電池検査部においてコイン形電池を検査することができないように設けられたガード部材とからなる電池検査器。
【請求項２】
前記ガード部材は、前記ボタン形電池載置面の側方に設けられたガード壁からなる請求項１記載の電池検査器。
【請求項３】
前記コイン形電池載置面および前記ボタン形電池載置面は、それぞれ、平面視略長方形に形成されるとともに、コイン形又はボタン形電池を前記第１又は第２負極接点に向けて滑走させることができる領域を有する請求項１又は２記載の電池検査器。
【請求項４】
前記筐体は略直方体であり、前記表示部の下部に前記コイン形電池検査部および前記ボタン形電池検査部を並設した請求項１〜３いずれかに記載の電池検査器。
【請求項５】
前記コイン形電池検査部および前記ボタン形電池検査部を覆うカバーを備える請求項１〜４記載の電池検査器。
【請求項６】
前記カバーはスライド式に形成されるとともに、前記カバーがスライドすることによって前記コイン形電池載置面又は前記ボタン形電池載置面に載置されたコイン形電池又はボタン形電池を押動して前記第１負極接点又は前記第２負極接点上に配置可能に形成された請求項５記載の電池検査器。
【考案の詳細な説明】
【技術分野】
【０００１】
本考案は、いわゆるコイン形及びボタン形電池の容量の状態を簡易に検査することができる電池検査器に関する。
【背景技術】
【０００２】
電池にはその用途に合わせてボタン形電池や筒形電池などの種類があり、それぞれ電圧や容量、形状が異なるものが多数存在する。従来より、電池の容量の状態を簡易に検査するものとして、図６に示す電池検査器が知られている（登録実用新案第３０８４７３９号公報参照）。図６の電池検査器２０は、検査器本体２１と、検査器本体２１の右側面上方に逆Ｌ字形をした挟持片２２とを備えており、挟持片２２は摺動して上下動可能に構成されている。また、検査器本体２１の上面には金属製の電極接点が設けられていると共に、挟持片２２の頂部２２ｂと立上り部２２ｃの内側にも金属製板状の電極接点が逆Ｌ字形に形成されている。単３形筒形電池Ｃの状態を検査する場合、図６に示すように、電池Ｃを検査器本体２１上面と挟持片２２とで挟持し、各電極接点と電池Ｃの正極および負極端子とを接触させる。その際、電池に負荷がかかって電流が流れ、表示板２５内で針２６が振れて電池容量の状態が示される。表示板２５には「交換（ＲＥＰＬＡＣＥ）」、「弱い（ＷＥＡＫ）」、「良好（ＧＯＯＤ）」の３種類の色分けされた領域が示されており、針２６の位置を読み取ることで電池の使用可否状態を知ることができる。
【０００３】
この電池検査器２０は、単３形筒形電池のみならず、単１〜５形筒形電池、偏平小形のボタン形電池、９Ｖの角形電池の容量の状態も検査できるように構成されている。ボタン形電池Ｂの状態を検査する場合は、筒形電池Ｃと同様に検査器本体２１上面と挟持片２２とで挟持するのに対し、角形電池は正極端子と負極端子とが共に電池上面に並設されているので、検査器本体２１底面に設けられている電極接点２７と接触させて検査することができる。
【考案の開示】
【考案が解決しようとする課題】
【０００４】
上記のような複数種類の電池を検査対象とする電池検査器においては、電圧の異なる電池に対してそれぞれ適切な負荷をかけなければ、電池の損傷や寿命の短縮を引き起こすおそれがある。そこで、本考案の目的は、検査対象をコイン形電池およびボタン形電池に特定した上で、検査時の誤使用を防止して電池に適切な負荷をかけることができ、尚且つ使い勝手が良い電池検査器を提供することにある。
【課題を解決するための手段】
【０００５】
上記目的を達成するため、本考案の電池検査器は、筐体と、前記筐体に内蔵される電気回路と、前記電気回路に接続して外面に露出する金属板状の電極接点と、前記電極接点に電池の電極端子を当接した際に前記電池の容量の状態を表示する表示部と、を備える電池検査器において、前記電池検査器は、コイン形電池の検査を行うコイン形電池検査部と、ボタン形電池の検査を行うボタン形電池検査部と、それらの境界に沿って設けられる境界壁とを備え、前記コイン形電池検査部は、コイン形電池載置面と、前記コイン形電池載置面に設けられた第１負極接点と、前記第１負極接点上に載置されたコイン形電池の側面が当接するように立設された第１正極接点とからなり、前記ボタン形電池検査部は、ボタン形電池載置面と、前記ボタン形電池載置面に設けられた第２負極接点と、前記第２負極接点上に載置されたボタン形電池の側面が当接するように立設された第２正極接点と、前記ボタン形電池検査部においてコイン形電池を検査することができないように設けられたガード部材とからなる。
【０００６】
本考案に係る電池検査器によれば、まず、検査対象をコイン形電池およびボタン形電池に特定し、各電池検査部の境界に沿った境界壁を設けるとともに、ボタン形電池載置面にガード部材を設けているため、検査時の誤使用を回避して電池の寿命短縮や損傷を防止することができる。次に、コイン形又はボタン形電池載置面に載置した電池の電極端子を各電極接点に当接するだけで、電池容量の状態が目視可能に構成されているため、非常に簡単に電池の検査を行うことができる。また、境界壁は電池をそれぞれの電極接点へ好適にガイドする役割も果たすため、使い勝手がよく、操作が簡便となる。
【０００７】
上記において、前記ガード部材は、前記ボタン形電池載置面の側方に設けられたガード壁からなるものが好ましい。
【０００８】
上記構成により、ボタン形電池載置面へのコイン形電池の配置を確実に防止することができるとともに、ボタン形電池の載置面側方からの落下を防止することができる。
【０００９】
上記において、前記コイン形電池載置面および前記ボタン形電池載置面は、それぞれ、平面視略長方形に形成されるとともに、コイン形又はボタン形電池を前記第１又は第２負極接点に向けて滑走させることができる領域を有するものが好ましい。
【００１０】
各電池載置面にコイン形又はボタン形電池を滑走可能な領域を形成することにより、検査時には、まずコイン形又はボタン形電池をその滑走可能な領域に配置し、その電池を指などで電極接点方向へ滑走させることで、電池が境界壁にガイドされつつ、電池の電極端子が各電極接点に当接する位置に適切に配置される。よって、作業性・操作性が向上し、より簡便に電池容量の状態を検査することができる。また、上記の領域に検査対象となる電池の種類等を表示することが可能となるため、検査時の誤使用を予防することができる。
【００１１】
上記において、前記筐体は略直方体であり、前記表示部の下部に前記コイン形電池検査部および前記ボタン形電池検査部を並設したものが好ましい。
【００１２】
上記構成により、コイン形又はボタン形電池を各電池接点に当接させた状態で、電池容量の状態を確認し易くなるため、作業性・操作性が向上し、より簡便に電池の検査を行うことができる。
【００１３】
上記において、前記コイン形電池検査部および前記ボタン形電池検査部を覆うカバーを備えるものが好ましい。
【００１４】
上記構成により、検査時以外はカバーで電極接点を覆って露出を抑制することができるため、電極接点の損傷や汚れの付着を防止することができる。
【００１５】
上記において、前記カバーはスライド式に形成されるとともに、前記カバーがスライドすることによって前記コイン形電池載置面又は前記ボタン形電池載置面に載置されたコイン形電池又はボタン形電池を押動して前記第１負極接点又は前記第２負極接点上に配置可能に形成されたものが好ましい。
【００１６】
上記構成により、カバーの開閉が容易となって使い勝手がよくなる。また、スライドするカバーが、各電池載置面に配置された電池を押動して負極接点上へ配置可能に構成されているため、より簡便に電池容量の状態を検査することができる。更に、上記構成では負極接点上に電池を載置した状態でカバーが閉状態とならないことから、電池検査器への電池の置き忘れを防止することができる。
【考案を実施するための最良の形態】
【００１７】
以下、本考案の実施の形態について、図面を参照しながら説明する。図１は本考案に係る電池検査器の一例を示す正面図、図２は斜視図である。この電池検査器１０は、全体に略直方体をなしており、手のひらに載せることができる程度の大きさを有し、軽量化を図るために導体部分を金属製とする他は樹脂製とされている。電池検査器１０は、概ね、コイン形電池検査部３と、ボタン形電池検査部４と、表示部２とに分けて説明することができる。以下、それぞれの部分について説明する。
【００１８】
まず、コイン形電池検査部３は、電池検査器１０の正面視左側下部に設けられており、コイン形電池載置面３１と、金属製板状の負極接点３２（前記第１負極接点に相当する。）と、正極接点３３（前記第１正極接点に相当する。）とを備える。コイン形電池載置面３１は平面状に形成されるとともに正面視縦長の長方形に形成され、寸法はコイン形電池Ａの載置に適した寸法（一例として、縦約３２ｍｍ×幅約２３ｍｍ程度）に設定されている。負極接点３２は検査器１０の長手方向に対して傾斜して設けられており、更に、正極接点３３は負極接点３２上に載置されたコイン形電池Ａの側面が当接するように立設されている。
【００１９】
次に、ボタン形電池検査部４は、コイン形電池検査部３の隣に境界壁１を挟んで設けられており、ボタン形電池載置面４１と、金属製板状の負極接点４２（前記第２負極接点に相当する。）と、正極接点４３（前記第２正極接点に相当する。）とを備える。ボタン形電池載置面４１もコイン形電池載置面３１と同様に、平面状に形成されるとともに正面視縦長の長方形に形成され、寸法はボタン形電池Ｂの載置に適した寸法（一例として、縦約３２ｍｍ×幅約１２ｍｍ程度）に設定されている。負極接点４２は検査器１０の長手方向に対して傾斜して設けられており、更に、正極接点４３は負極接点４２上に載置されたボタン形電池Ｂの側面が当接するように立設されている。また、境界壁１に対向する側方側にはガード壁５（前記ガード部材に相当する。）が設けられている。
【００２０】
表示部２は、電池検査器１０の正面視上部に設けられており、表面に透明樹脂が嵌め込まれた表示板９を備える。表示板９内には「交換（ＲＥＰＬＡＣＥ）」、「弱い（ＷＥＡＫ）」、「良好（ＧＯＯＤ）」の３種類の色分けされた２つの表示１１、１２と、電池に流れる電流の大小に応じて振れる針８とが設けられ、表示１１、１２は、それぞれ、コイン電池検査部３、ボタン電池検査部４における検査結果を表示する。
【００２１】
上述のように、電池検査器１０が対象とする電池は、コイン形電池及びボタン形電池である。図３（ａ）はコイン形電池の例としてコイン形リチウム電池Ａ（例えば、ＪＩＳ  Ｃ８５１２におけるＣＲ１２１６）を、図３（ｂ）はボタン形電池の例としてボタン形アルカリ電池Ｂ（例えば、ＪＩＳ  Ｃ８５１１におけるＬＲ５４）をそれぞれ示している。図３において、電池上面には負極のキャップ端子６Ａ、６Ｂが形成され、その他の外表面は正極ケース７Ａ、７Ｂで覆われている。すなわち、図３における電池上面が負極端子、底面および側面が正極端子となる。
【００２２】
次に、この電池検査器１０を用いてボタン形電池Ｂを検査する場合について説明する。まず、ボタン形電池載置面４１に負極であるキャップ端子６Ｂが面するようにボタン形電池Ｂを載せ、負極接点４２上に配置する。このとき、ボタン形電池載置面４１の正面視下部付近にボタン形電池Ｂを載せ、指で負極接点４２に向けて滑走させることで、ボタン形電池Ｂは境界壁１にガイドされつつ、負極接点４２上に簡便に配置することができる。また、大方のコイン形電池はボタン形電池よりも大径であり、ガード壁５によってボタン形電池載置面４１へのコイン形電池の載置を防止することができる。ガード壁５はボタン形電池Ｂが載置面４１側方から落下することも防止し得る。
【００２３】
図１及び図２に示すように、負極接点４２上に配置されたボタン形電池Ｂは、負極端子が負極接点４２に当接した状態であり、更に、正極端子である電池側面が正極接点４３に当接した状態となる。これにより、電池検査器１０が内蔵する回路に電池Ｂが接続された状態となり、負荷がかかって電流が流れ、表示板９内の針８が振れて電池容量の状態を指し示す。
【００２４】
図４は電池検査器１０が備える回路の一例を示したものである。図４の左側接点間には、もっぱらコイン形電池を接続し、右側接点間にはボタン形電池を接続するようになっている。流れる電流の大小に応じて針８が振れ、表示板９内において検査結果が表示される。なお、本発明に係る電池検査器が備える回路は、図４に示したものに限られるものではない。
【００２５】
［他の実施形態］
（１）本発明に係る電池検査器は、図５に示すように、コイン形電池検査部３及びボタン形電池検査部４を覆うカバー１３を備えるものであってもよい。図５に示した電池検査器３０が備えるカバー１３は、その長手方向にスライド可能に構成されており、検査を行わないときはカバー１３を矢印方向にスライドさせて閉状態にしておくことで、電極接点が損傷したり、汚れが付着したりすることを防止することができる。なお、本発明の電池検査器が備えるカバーはスライド式に限られるものではなく、開き戸のように開閉するものや、蓋体のように取り外しできるものでもよい。
【００２６】
（２）本発明に係る電池検査器が備えるカバーはスライド式に形成されるとともに、そのカバーがスライドすることによって、コイン形電池載置面３１又はボタン形電池載置面４１に載置されたコイン形電池又はボタン形電池を押動して負極接点３２又は負極接点４２上に配置可能に形成されたものが好ましい。
【００２７】
図５に示した電池検査器３０では、正極接点３３、４３に対向してカバー１３にプレート１４が設けられている。また、プレート１４には境界壁１が挿通可能な通過孔１５が形成されている。カバー１３にプレート１４を設けることにより、例えばボタン形電池載置面４１にボタン形電池Ｂを載置した状態で、カバー１３を矢印方向にスライドさせると、ボタン形電池Ｂはプレート１４によって押動されてボタン形電池載置面４１上を滑走する。そして、ボタン形電池Ｂは、負極接点４２上に配置されるとともに、プレート１４と正極接点４３とにより挟持されるため、ボタン形電池Ｂの各電極端子６Ｂ、７Ｂが各電極接点４２、４３に適切に当接してその姿勢で固定される。その結果、作業性・操作性が向上し、簡便に電池の検査を行うことができる。
【００２８】
（３）本発明に係る電池検査器が備えるガード部材は、上述の実施形態に示したようなガード壁５に限られず、例えば、ボタン形電池載置面４１において境界壁１に対向する側方側に設けられた突起などであってもよい。
【図面の簡単な説明】
【００２９】
【図１】本考案に係る電池検査器の正面図
【図２】本考案に係る電池検査器の斜視図
【図３】一般的なコイン形電池およびボタン形電池の図
【図４】本考案に係る電池検査器が備える回路図の一例を示す図
【図５】別実施形態に係る電池検査器の一部破断斜視図
【図６】従来の電池検査器の正面図
【符号の説明】
【００３０】
１    境界壁
３    コイン形電池検査部
４    ボタン形電池検査部
５    ガード壁
１０  電池検査器
１３  カバー
１４  プレート
３１  コイン形電池載置面
３２  第１負極接点
３３  第１正極接点
４１  ボタン形電池載置面
４２  第２負極接点
４３  第２正極接点
Ａ    コイン形リチウム電池
Ｂ    ボタン形アルカリ電池
【図１】
0003102561.tif 000003
【図２】
0003102561.tif 000004
【図３】
0003102561.tif 000005
【図４】
0003102561.tif 000006
【図５】
0003102561.tif 000007
【図６】
0003102561.tif 000008